(57)【特許請求の範囲】
【請求項１】
利用者が所持する通行券を受け付け、その通行券に記録されている券情報を読み取る券情報読取手段、前記券情報読取手段が読み取った券情報に基づいて、その利用者に対する通路の通行を許可するかどうかを判定する通行可否判定手段、および、通路における利用者の通行を検知する利用者検知手段、を備えた複数のゲート装置を有する通行制御システムであって、
複数の前記ゲート装置には、施設に入場する利用者に対して通路の通行可否を判定する入場用ゲート装置と、施設から出場する利用者に対して通路の通行可否を判定する出場用ゲート装置と、の２種類があり、
少なくとも一方の種類のゲート装置は、
前記通行可否判定手段が通路の通行を許可すると判定した利用者について、前記利用者検知手段が通路の通行を検知しなかったときに、今回受け付けた通行券の識別コードを出力する識別コード出力手段を、備え、
少なくとも他方の種類のゲート装置は、
前記識別コード出力手段が出力した通行券の識別コードを記憶する識別コード記憶手段、および、
前記券情報読取手段が券情報を読み取った通行券の識別コードを、前記識別コード記憶手段が記憶していれば、その旨を通知する出力を行う通知手段、を備えている、
通行制御システム。
【請求項２】
前記識別コード出力手段は、識別コードとともに、券情報を読み取った日時を対応付けて出力する手段であり、
前記識別コード記憶手段は、対応付けられている日時から、予め定めた時間経過している識別コードを削除する手段である、
請求項１に記載の通行制御システム。
【請求項３】
前記通知手段は、通路を撮像しているカメラの撮像画像の記録を指示する旨の通知を出力する手段である、
請求項１、または２に記載の通行制御システム。
【発明の詳細な説明】
【技術分野】
【０００１】
この発明は、通路における利用者の通行を制限する複数のゲート装置を有する通行制御システムに関する。
【背景技術】
【０００２】
従来、鉄道の駅の改札口では、駅構内に入場する利用者や、駅構内から出場する利用者に対する改札処理を自動改札機で行っている。自動改札機は、利用者が所持しているキップ、定期券、プリペイド券等の乗車券を受け付け、この乗車券に記録されている乗車券情報を読み取り、読み取った乗車券情報に基づいて、その利用者に対する改札通路の通行可否を判定する。自動改札機は、利用者に対して改札通路の通行を許可すると判定すると、改札通路の出口側に位置する扉を開し、反対に、利用者に対して改札通路の通行を許可しないと判定すると、改札通路の出口側に位置する扉を閉する。
【０００３】
また、ごく一部の利用者ではあるが、適正な乗車券を所持せずに、改札通路に進入し、閉された扉を飛び越える等して改札通路を故意に突破する不正通行者がいる。このような不正通行者の不正行為を抑制するために、改札通路を通行する利用者を撮像するカメラを設置しておき、改札通路を故意に突破する不正通行者を検知すると、そのときのカメラの撮像画像（すなわち、不正通行者の撮像画像）を記録保存することが提案されている（特許文献１等参照）。
【特許文献１】特開２００２−２４５４９８号公報
【発明の開示】
【発明が解決しようとする課題】
【０００４】
しかしながら、従来の自動改札機は、改札通路の通行を許可するかどうかの判定を、その利用者が所持している乗車券に記録されている乗車券情報によって行っており、乗車券の所有者が改札通路を通行している利用者であるかどうかについてまでは考慮していなかった。このため、定期券や、期間限定のフリーパス券等の使用回数に関係なく料金が一定である乗車券（以下、総称して特定乗車券と言う。）が複数人で使い回されても、そのことを検知することができなかった。すなわち、特定乗車券の使い回しという不正行為を抑止することができなかった。ここで言う、期間限定のフリーパス券とは、例えば有効日当日に限り、鉄道網における設定エリア内の駅で自由に入出場できる１日乗車券等である。特定乗車券の使い回しとは、簡単に言うと、以下に示す行為である。
【０００５】
複数人の利用者の中に、適正な特定乗車券を所持している利用者が１人いる。まず、入場駅では、特定乗車券を所持している利用者はその特定乗車券で駅に入場し、特定乗車券を所持していない利用者は入場券や最短区間のキップを購入して入場する。そして、出場駅で、特定乗車券を所持している利用者がその特定乗車券で駅から出場する。出場した利用者が、この時点で出場していない利用者に対して、改札越しに特定乗車券を受け渡す。特定乗車券を受け取った利用者が、その特定乗車券で出場する。すなわち、他人の特定乗車券で改札通路を不正に通行して出場する。不正に出場した利用者は、入場駅で使用した入場券や最短区間のキップを破棄する。
【０００６】
また、最近の自動改札機は、乗車券に対して、入場時や、出場時に入出場情報（入出場の種別、入出場日時、入出場駅等）を記録し、入場、または出場が連続する乗車券については、改札通路における利用者の通行を禁止する通行制御を行っている。しかし、このような自動改札機であっても、出場した利用者が、出場していない別の利用者に受け渡す前に、特定乗車券を入場用の自動改札機に処理させると、この特定乗車券に入場情報が記録されるので、特定乗車券の使い回しを防止することができない。
【０００７】
例えば、使い回しされる特定乗車券が磁気券である場合には、この特定乗車券を、入場用の自動改札機の乗車券投入口に投入する。このとき、特定乗車券を投入した利用者（すでに出場している利用者）は、駅構内に入場しない。また、この特定乗車券を受け取る利用者（まだ出場していない利用者）が、この入場用の自動改札機の乗車券放出口に放出された特定乗車券を抜き取る。また、使い回しされる特定乗車券が無線通信機能を有する非接触ＩＣ券である場合には、この特定乗車券を、入場用の自動改札機の無線通信エリアに翳す。このときも、特定乗車券を翳した利用者（すでに出場している利用者）は、駅構内に入場しない。その後、出場していない利用者に対して、改札越しに特定乗車券を受け渡す。
【０００８】
なお、自動改札機が、上述したように、特定乗車券を使い回して、改札通路を不正に通行している利用者を検知することができないので、上記特許文献１で提案されている自動改札機のように、改札通路を通行する利用者を撮像するカメラを設置しても、その撮像画像を記録保存することができない。また、全ての利用者について撮像画像を記録すると、その撮像画像を記録する記憶媒体の記憶容量が膨大になるとともに、それらの画像を確認して特定乗車券の使い回しを行っている利用者を見つける係員の作業も膨大になり、現実的な対応ができない。
【０００９】
この発明の目的は、通行券の使い回しという不正行為が行われている可能性が高いときに、その旨を出力することによって、通行券の使い回しという不正行為を抑止することができる通行制御システムを提供することにある。
【課題を解決するための手段】
【００１０】
この発明の通行制御システムは、上記課題を解決し、その目的を達するために、以下の構成を備えている。
【００１１】
この通行制御システムは、複数のゲート装置を有する。各ゲート装置は、券情報読取手段で、利用者が所持する通行券を受け付け、その通行券に記録されている券情報を読み取る。そして、通行可否判定手段で、前記券情報読取手段が読み取った券情報に基づいて、その利用者に対する通路の通行を許可するかどうかを判定する。また、これら複数のゲート装置には、施設に入場する利用者に対して通路の通行可否を判定する入場用ゲート装置と、施設から出場する利用者に対して通路の通行可否を判定する出場用ゲート装置と、がある。
【００１２】
また、少なくとも一方の種類のゲート装置は、識別コード出力手段が、前記通行可否判定手段が通路の通行を許可すると判定した利用者について、前記利用者検知手段が通路の通行を検知しなかったときに、今回受け付けた通行券の識別コードを出力する。具体的には、受け付けた通行券を所持している利用者に対して通路の通行を許可したにもかかわらず、その利用者が通路を通行しなかった場合に、今回受け付けた通行券の識別コードを出力する。したがって、利用者が、入場情報、または出場情報を通行券に書き込むために、通行券をゲート装置に処理させると、その通行券の識別コードが識別コード出力手段によって出力される。
【００１３】
また、少なくとも他方の種類のゲート装置は、前記識別コード出力手段が出力した通行券の識別コードを識別コード記憶手段に記憶し、前記券情報読取手段が券情報を読み取った通行券の識別コードを、前記識別コード記憶手段が記憶していれば、通知手段がその旨を通知する出力を行う。すなわち、通知手段は、同一の通行券が異なる利用者によって使用されている可能性が高い（通行券の使い回しが行われている可能性が高い）ときに、その旨を通知する出力を行う。
【００１４】
これにより、通行券の使い回しという不正行為を抑止することができる。
【００１５】
また、前記識別コード出力手段を、識別コードとともに、券情報を読み取った日時を対応付けて出力する手段とし、さらに、前記識別コード記憶手段を、対応付けられている日時から、予め定めた時間経過している識別コードを削除する手段としてもよい。
【００１６】
このようにすれば、前記識別コード記憶手段が無用な識別コードをいつまでも記憶することがなく、また、このような無用な識別コードを記憶しているために生じる、通行券の使い回しにかかる誤検知が防止できる。
【００１７】
さらに、前記通知手段を、通路を撮像しているカメラの撮像画像の記録を指示する旨の通知を出力する手段とすれば、通行券の使い回しを行っている可能性が高い利用者についてのみ、撮像画像を記録することができる。
【発明の効果】
【００１８】
この発明によれば、通行券の使い回しという不正行為を抑止することができる。
【発明を実施するための最良の形態】
【００１９】
以下、この発明の実施形態である改札システムについて説明する。
【００２０】
図１は、この発明の実施形態である改札システムの構成を示す図である。この改札システムは、鉄道網の駅において、駅構内に入場する利用者や、駅構内から出場する利用者に対して改札処理を行うシステムである。この改札システムは、複数の自動改札機１と、駅サーバ２と、を有している。自動改札機１には、駅構内に入場する利用者に対して改札処理（入場処理）を行う入場用自動改札機１ａと、駅構内から出場する利用者に対して改札処理（出場処理）を行う出場用自動改札機１ｂと、がある。以下の説明では、特に、入場用自動改札機１ａと、出場用自動改札機１ｂとを区別しないときは、自動改札機１と言う。入場用自動改札機１ａと、出場自動改札機１ｂとは、駅の改札口に設置される。これらの自動改札機１は、データ通信可能に駅サーバ２に接続されている。すなわち、この改札システムは、入場用自動改札機１ａと、出場用自動改札機１ｂとが、駅サーバ２を介してデータ通信可能に構成されている。駅サーバ２は、設置駅において行われた駅務処理を管理する。また、駅サーバ２は、公衆回線や専用回線等を介して、図示していないセンタ装置にデータ通信可能に接続されている。
【００２１】
なお、駅サーバ２には、図示していない券売機、精算機等の他の種類の駅務機器もデータ通信可能に接続されている。駅サーバ２は、自動改札機１による駅務処理（入場処理や出場処理）だけでなく、券売機によるキップ等の乗車券の発券処理や、精算機による運賃の精算処理等についても管理する。
【００２２】
図２は、入場用自動改札機の主要部の構成を示すブロック図である。入場用自動改札機１ａは、上述したように、駅の改札口に設置され、駅構内に入場する利用者に対する改札処理を行う。入場用自動改札機１ａは、制御部１０と、乗車券処理部１１と、利用者検知部１２と、表示部１３と、扉開閉部１４と、報知部１５と、通信部１６と、を備えている。ここでは、この入場用自動改札機１ａが、この発明で言う一方の種類のゲート装置に相当する。制御部１０は、入場用自動改札機１ａ本体各部の動作を制御する。乗車券処理部１１は、改札通路を通行する利用者が所持している乗車券を受け付け、受け付けた乗車券に記録されている乗車券情報の読み取りや、書き込みを行う。乗車券情報には、その乗車券を識別する乗車券識別コードが含まれている。乗車券には、乗車券情報を磁気データで記録している磁気券や、無線通信機能を有し、乗車券情報を内蔵メモリに記録している非接触ＩＣ券等がある。乗車券処理部１１は、改札通路の入口側に設けた投入口と出口側に設けた放出口との間に、磁気券を搬送する搬送路を有している。また、この搬送路の途中には、搬送している磁気券に記録されている乗車券情報の読み取りや、書き込みを行う磁気ヘッドが配置されている。また、改札通路の入口側には、非接触ＩＣ券と無線通信を行うためのアンテナが設けられている。乗車券処理部１１は、アンテナから数ｃｍの範囲が無線通信エリアであり、この無線通信エリア内に位置する非接触ＩＣ券との無線通信により、この非接触ＩＣ券が記憶している乗車券情報の読み取りや、この非接触式ＩＣ券に対する乗車券情報の書き込みを行う。乗車券が、この発明で言う通行券に相当し、乗車券情報が、この発明で言う券情報に相当する。
【００２３】
利用者検知部１２は、改札通路に沿って設けた複数のセンサにより、利用者の有無を検知することで、改札通路を通行している利用者の位置を追従検知する。したがって、利用者が駅構内に入場したか、駅構内に入場しなかったか、を検知することができる。表示部１３は、改札通路の出口側付近に設けた表示器に、改札通路を通行している利用者に対する案内メッセージ等を表示する。また、扉開閉部１４は、改札通路の出口側付近に設けた扉を開閉することにより、改札通路における利用者の通行を制限する。報知部１５は、改札通路に進入した利用者が適正な乗車券を所持していなければ、その旨を報知する。通信部１６は、駅サーバ２との通信を行う。
【００２４】
図３は、出場用自動改札機の主要部の構成を示すブロック図である。出場用自動改札機１ｂは、上述した入場用自動改札機１ａと同様に、制御部１０と、乗車券処理部１１と、利用者検知部１２と、表示部１３と、扉開閉部１４と、報知部１５と、通信部１６と、を備えるとともに、さらに、監視情報記憶部１７と、記録指示出力部１８と、を備えている。この出場用自動改札機１ｂは、駅の改札口に設置され、駅構内から出場する利用者に対する改札処理を行う。ここでは、この出場用自動改札機１ｂが、この発明で言う他方の種類のゲート装置に相当する。出場用自動改札機１ｂが備える、乗車券処理部１１と、利用者検知部１２と、表示部１３と、扉開閉部１４と、報知部１５と、通信部１６については、上述した入場用自動改札機１ａと同様の構成であるので、ここでは説明を省略する。監視情報記憶部１７は、駅サーバ２から通知された監視情報を記憶する。この監視情報には、乗車券識別コードが含まれている。詳細については後述するが、駅サーバ２は、使い回しされる可能性が高い乗車券の乗車券識別コードを含む監視情報を出場用自動改札機１ｂに通知する。記録指示出力部１８は、記録装置２０に接続されている。また、この記録装置２０には、カメラ２１が接続されており、このカメラ２１の撮像画像が入力されている。カメラ２１は、撮像画像を入力している記録装置２０が接続されている出場用自動改札機１ｂの改札通路を通行する利用者を略正面から撮像する位置に取り付けている。カメラ２１は、出場用自動改札機１ｂ本体に取り付けられていてもよいし、天井等に取り付けられていてもよい。また、記録装置２０についても、出場用自動改札機１ｂに内蔵されていてもよい。記録指示出力部１８は、記録装置２０に対してカメラ２１の撮像画像の記録を指示する。
【００２５】
ここで記録装置２０について簡単に説明しておく。記録装置２０は、カメラ２１から入力された最近の撮像画像を一定時間分だけ残しながら、その時点で入力されている撮像画像を記憶している。すなわち、一定時間分の撮像画像を記憶することができるメモリ等の記憶媒体を利用し、カメラ２１から入力されている画像を、この記憶媒体に記憶している最も古い撮像画像に上書きしながら、常時記憶する処理を行っている。したがって、記録装置２０は、出場用自動改札機１ｂからカメラ２１の撮像画像の記録が指示されたとき、この指示されたタイミング以前における、カメラ２１の撮像画像も記録することができる。記録装置２０は、出場用自動改札機１ｂからカメラ２１の撮像画像の記録指示を受けると、この時点よりも１０数秒程度前から、１０数秒程度後までのカメラ２１の撮像画像をハードディスクに記録する。
【００２６】
なお、カメラ２１の撮像画像を常時記憶するための記憶媒体として、上述したメモリを設けずに、上記ハードディスクの一部の記録領域をカメラ２１の撮像画像を常時記憶する領域として利用してもよい。また、ハードディスクに記録するカメラ２１の撮像画像は、動画像ファイルであってもよいし、複数枚の静止画像からなる静止画像ファイルであってもよい。また、ファイル名は、出場用自動改札機１ｂから記録が指示された日時とすれば、撮像日時の管理がファイル名で行える。
【００２７】
次に、駅サーバ２の構成について説明する。図４は、駅サーバの主要部の構成を示すブロック図である。駅サーバ２は、制御部２０と、下位通信部２１と、上位通信部２２と、を備えている。制御部２０は、駅サーバ２本体各部の動作を制御する。下位通信部２１は、接続されている自動改札機１や他の種類の駅務機器との間における通信を行う。上位通信部２２は、図示していないセンタ装置との通信を行う。このセンタ装置は、鉄道会社のセンタに設置されており、公衆回線や専用回線等を介して各駅に設置されている駅サーバ２と接続されている。
【００２８】
なお、駅サーバ２は、接続されている自動改札機１、券売機、精算機等の駅務機器で行われた駅務処理の処理結果や、これらの駅務機器の管理に用いる管理情報等を記憶する記憶部（不図示）を有している。
【００２９】
この改札システムは、定期券や、期間限定のフリーパス券等の使用回数に関係なく料金が一定である乗車券（以下、総称して特定乗車券と言う。）の使い回しを行っている可能性が高い利用者を検知するとともに、その利用者の撮像画像を記録することによって、使い回しという不正行為を抑止するシステムである。以下、この改札システムの動作について説明する。
【００３０】
この改札システムは、入場用自動改札機１ａが、入場処理を行ったにもかかわらず、利用者が改札通路を通って駅構内に入場しなかったときに、その乗車券が使い回しされる可能性が高い乗車券として監視情報を駅サーバ２に通知する。この監視情報は、その乗車券の乗車券識別コードと、入場処理を行った日時とを対応付けた情報である。駅サーバ２は、入場用自動改札機１ａからの通知された監視情報を出場用自動改札機１ｂに転送する。出場用自動改札機１ｂは、駅サーバ２から転送されてきた監視情報を監視情報記憶部１７に記憶する。そして、出場用自動改札機１ｂは、受け付けた乗車券の乗車券識別コードが監視情報記憶部１７に記憶している監視情報の中にあれば、記録装置２０に対して利用者の撮像画像の記録を指示する。
【００３１】
まず、入場用自動改札機の動作について詳細に説明する。図５は、入場用自動改札機の動作を示すフローチャートである。入場用自動改札機１ａは、乗車券処理部１１で乗車券を受け付けると（ｓ１）、受け付けた乗車券に記録されている乗車券情報を読み取る（ｓ２）。入場用自動改札機１ａは、この乗車券が適正であるかどうかを判定する（ｓ３）。ｓ３では、乗車券の有効期間や、有効区間だけでなく、前回の使用が出場であるかどうかも加えて判定する。入場用自動改札機１ａは、ｓ３で適正であると判定すると、乗車券処理部１１が今回の入場情報を乗車券に書き込むとともに（ｓ４）、扉開閉部１４により扉を開し（ｓ５）、その利用者が駅構内に入場するのを許可する。
【００３２】
そして、入場用自動改札機１ａは、利用者検知部１２で、今回入場を許可した利用者の改札通路への進入、および駅構内への入場を検知すると（ｓ６、ｓ７）、本処理を終了する。一方、ｓ６で、今回入場を許可した利用者の改札通路への進入を検知することなく、予め定めたリセット時間経過したとき（ｓ８）や、ｓ７で今回入場を許可した利用者が改札通路への進入後に、改札通路を戻って駅構内に入場しなかったとき（ｓ９）、監視情報を作成する（ｓ１０）。ｓ１０で作成する監視情報は、ｓ１で受け付けた乗車券の乗車券識別コードと、ｓ２で乗車券情報を読み取った日時と、を対応付けた情報である。入場用自動改札機１ａは、ｓ１０で作成した監視情報を駅サーバ２に通知し（ｓ１１）、本処理を終了する。
【００３３】
このように、入場用自動改札機１ａは、受け付けた乗車券に対して入場情報を書き込んだにもかかわらず、その乗車券を所持している利用者が駅構内に入場しなかった場合に、その乗車券の乗車券識別コードを含む監視情報を作成し、駅サーバ２に通知する。すなわち、利用者が、乗車券を使い回しするために、入場情報を乗車券に書き込んだ可能性があるときに、その乗車券の乗車券識別コードを含む監視情報を作成し、駅サーバ２に通知する。したがって、使い回しされる可能性が高い乗車券の乗車券識別コードを含む監視情報を駅サーバ２に通知することができる。
【００３４】
なお、入場用自動改札機１ａは、ｓ３で、今回受け付けた乗車券が適正でないと判定すると、扉開閉部１４により扉１４ａを閉するとともに（ｓ１２）、報知部１５において警報報知を行う（ｓ１３）。
【００３５】
図６は、駅サーバ２の動作を示すフローチャートである。駅サーバ２は、入場用自動改札機１ａから監視情報が通知されると（ｓ２１）、その監視情報を接続されている各出場用自動改札機１ｂに転送する（ｓ２２）。すなわち、入場用自動改札機１ａが駅サーバ２に通知した監視情報は、出場用自動改札機１ｂに通知される。
【００３６】
図７は、出場用自動改札機の動作を示すフローチャートである。出場用自動改札機１ｂは、駅サーバ２から監視情報が通知されると（ｓ３１）、通知された監視情報を監視情報記憶部１７に記憶する（ｓ３２）。これにより、出場用自動改札機１ｂは、使い回しされる可能性が高い乗車券毎に、その乗車券の乗車券識別コードを含む監視情報を監視情報記憶部１７に記憶する。
【００３７】
出場用自動改札機１ｂは、乗車券処理部１１が利用者の乗車券を受け付けると（ｓ３３）、その乗車券に記録されている乗車券情報を読み取る（ｓ３４）。出場用自動改札機１ｂは、ｓ３４で読み取った乗車券情報に基づいて、有効期間や有効区間等が適正な乗車券であるかどうかを判定する（ｓ３５）。出場用自動改札機１ｂは、ｓ３５で適正な乗車券であると判定すると、その乗車券の乗車券識別コードを含む監視情報を監視情報記憶部１７に記憶しているかどうかを判定する（ｓ３６）。ｓ３６では、今回受け付けた乗車券が、使い回しされる可能性が高い乗車券であるかどうかを判定している。
【００３８】
出場用自動改札機１ｂは、今回受け付けた乗車券の乗車券識別コードを含む監視情報を監視情報記憶部１７に記憶していると、記録指示出力部１８が記録装置２０に対する利用者の撮像画像の記録指示を出力する（ｓ３７）。
【００３９】
出場用自動改札機１ｂは、ｓ３６で今回受け付けた乗車券の乗車券識別コードを含む監視情報を監視情報記憶部１７に記憶していないと判定した場合、またはｓ３７で記録装置２０に対する利用者の撮像画像の記録指示を出力すると、今回受け付けた乗車券に出場情報を書き込む（ｓ３８）。また、扉開閉部１４により扉１４ａを開し（ｓ３９）、その利用者が駅構内から出場するのを許可する。
【００４０】
この改札システムでは、乗車券を使い回している可能性が高い利用者（ｓ３７で撮像画像の記録を指示した利用者）であっても、改札通路の通行を許可する構成としているが、乗車券を使い回している可能性が高い利用者については改札通路の通行を禁止し、係員に対応させるようにしてもよい。但し、この場合には、可能性としては低いが、出場用自動改札機１ｂが監視情報を記憶していたために、乗車券の使い回しを行っていない利用者に対してまで、改札通路の通行を禁止することになる。
【００４１】
また、出場用自動改札機１ｂは、ｓ３５で今回受け付けた乗車券が適正でないと判定すると、扉開閉部１４により扉を閉するとともに（ｓ３９）、報知部１５において警報報知を行う（ｓ４０）。
【００４２】
このように、この改札システムでは、乗車券を使い回ししている可能性が高い利用者については、その利用者の撮像画像を記録装置２０に記録するので、通行券の使い回しという不正行為を抑止することができる。また、改札通路を通行する全ての利用者について撮像画像を記録するのではなく、乗車券を使い回ししている可能性が高い利用者についてのみ撮像画像を記録するので、記録装置２０の記憶容量が十分に抑えられるとともに、記録した撮像画像を確認して特定乗車券の使い回しを行っている利用者を見つける係員の作業負担も十分に抑えられる。
【００４３】
また、利用者毎に、乗車券を使い回ししている可能性が高いと判断した回数をカウントし、何度も繰り返し乗車券の使い回しを行っている悪質な利用者については、記録保存しているカメラ１９の撮像画像を証拠にして、乗車料金等の請求を行ってもよい。
【００４４】
また、出場用自動改札機１ｂは、図８に示す監視情報削除処理を適当なタイミングで行う構成としてもよい。この監視情報削除処理は、例えば、一定時間毎や、記憶している監視情報の総数が予め定めた個数に達したときに行えばよい。この監視情報削除処理について説明する。
【００４５】
出場用自動改札機１ｂは、監視情報記憶部１７に記憶している監視情報を検索し、乗車券識別コードに対応付けられている日時からの経過時間が予め定めた時間（例えば、３０分）を超えている監視情報を抽出する（ｓ５１）。また、出場用自動改札機１ｂは、ｓ５１で抽出した監視情報を監視情報記憶部１７から削除する（ｓ５２）。これにより、監視報記憶部１７が無用になった監視情報をいつまでも記憶しつづけることがない。このため、出場用自動改札機１ｂが、記録装置２０に対して無駄な撮像画像の記録を指示するのを抑えられる。また、上述したｓ３６にかかる判定の対象になる監視情報の総数が抑えられるので、改札処理に要する時間の増加が抑えられる。
【００４６】
また、上記の例では、出場用自動改札機１ｂで、乗車券の使い回しが行われている可能性が高いと判定した利用者を撮像する構成を示したが、上述の入場用自動改札機１ａと、出場用自動改札機１ｂと、を入れ換えることによって、入場時における乗車券の使い回しを抑止することもできる。
【００４７】
また、上記の例では、入場用自動改札機１ａと、出場用自動改札機１ｂと、が駅サーバ２を介して通信する構成としたが、入場用自動改札機１ａと、出場用自動改札機１ｂと、を直接接続し、入場用自動改札機１ａから監視情報を出場用自動改札機１ｂに直接通知する構成としてもよい。
【００４８】
また、記録装置２０は、出場用自動改札機１ｂに接続せず、駅サーバ２に接続してもよい。この場合には、出場用自動改札機１ｂは、駅サーバ２に対して撮像画像の記録を指示し、これにしたがって、駅サーバ２が記録装置２０に対して撮像画像の記録を指示する構成とすればよい。
【００４９】
また、本願発明は、遊園地やテーマパーク等の施設に入出場する利用者に対して改札処理を行うシステムにも適用できる。
【図面の簡単な説明】
【００５０】
【図１】この発明の実施形態である改札システムの概要を示す図である。
【図２】入場用自動改札機の主要部の構成、および外観を示す図である。
【図３】出場用自動改札機の主要部の構成、および外観を示す図である。
【図４】駅サーバの主要部の構成を示す図である。
【図５】入場用自動改札機の動作を示すフローチャートである。
【図６】駅サーバの動作を示すフローチャートである。
【図７】出場用自動改札機の動作を示すフローチャートである。
【図８】出場用自動改札機における監視情報削除処理を示すフローチャートである。
【符号の説明】
【００５１】
１−自動改札機
１ａ−入場用自動改札機
１ｂ−出場用自動改札機
２−駅サーバ
１０−制御部
１１−乗車券処理部
１２−利用者検知部
１３−表示部
１４−扉開閉部
１５−報知部
１６−通信部
１７−監視情報記憶部
１８−撮像画像処理部
１９−カメラ
２０−制御部
２１−下位通信部
２２−上位通信部
【図１】
0004697252.tif 000002
【図２】
0004697252.tif 000003
【図３】
0004697252.tif 000004
【図４】
0004697252.tif 000005
【図５】
0004697252.tif 000006
【図６】
0004697252.tif 000007
【図７】
0004697252.tif 000008
【図８】
0004697252.tif 000009